【手続補正書】
【提出日】平成27年6月16日(2015.6.16)
【手続補正１】
【補正対象書類名】特許請求の範囲
【補正対象項目名】全文
【補正方法】変更
【補正の内容】
【特許請求の範囲】
【請求項１】
ヒール端、トウ端、ソール、前表面、及び後表面を有するボディと、
前記ボディのリブ表面から突出する複数のリブと、を備えており、
前記複数のリブは、
第１長手軸を有する第１リブと、
第２長手軸を有する第２リブと、
第３長手軸を有する第３リブと、を含み、
前記第１長手軸、前記第２長手軸、及び第３長手軸は、前記ボディの外部にある共通点で交差し、
前記複数のリブは、ゴルフクラブヘッドのクラウンに対して凹状であるゴルフクラブヘッド。
【請求項２】
前記共通点は、前記前表面の前方に位置している請求項１に記載のゴルフクラブヘッド。
【請求項３】
前記リブ表面と前記複数のリブは、前記ボディの内部にある請求項１又は２に記載のゴルフクラブヘッド。
【請求項４】
前記リブ表面、前記第１リブ、前記第２リブ、及び前記第３リブは、前記ボディの前記ソールに位置している請求項１〜３のいずれか一項に記載のゴルフクラブヘッド。
【請求項５】
前記複数のリブの各々は、前記前表面及び前記後表面から離れている請求項１〜４のいずれか一項に記載のゴルフクラブヘッド。
【請求項６】
前記第１リブ、前記第２リブ、及び前記第３リブは、いずれのリブとも交差していない請求項１〜５のいずれか一項に記載のゴルフクラブヘッド。
【請求項７】
前記ボディは、前側部分と後側部分を有しており、
前記前側部分と前記後側部分の間の中間線は、前記前表面の最も前方となる点と前記後表面の最も後方となる点の間の距離に対して略半分において、前記ボディの前記前面に対して略平行であり、
前記第１リブ、前記第２リブ、及び前記第３リブの各々の前端部が前記前側部分にあり、
前記第１リブ、前記第２リブ、及び前記第３リブの各々の後端部が前記後側部分にある請求項１〜６のいずれか一項に記載のゴルフクラブヘッド。
【請求項８】
前記第１リブ、前記第２リブ、及び前記第３リブの各々の厚みは、前記前表面の近傍で前記リブ表面に一体化する請求項１〜７のいずれか一項に記載のゴルフクラブヘッド。
【請求項９】
前記複数のリブの隣り合うリブは、前記後表面に向けて相互に離れていき、前記前表面に向けて相互に近寄る請求項１〜８のいずれか一項に記載のゴルフクラブヘッド。
【請求項１０】
前記ボディの前記前表面は、ターゲット打撃範囲を有する打撃面を備えており、
前記第３リブの前記第３長手軸が前記打撃面に略直交するとともに前記ターゲット打撃範囲に一致している請求項１〜９のいずれか一項に記載のゴルフクラブヘッド。
【請求項１１】
前記ボディの前記前表面は、ターゲット打撃範囲を有する打撃面を備えており、
ターゲット打撃軸がターゲット打撃範囲の中心から伸びているとともに前記打撃面に略直交しており、
前記共通点が前記ターゲット打撃軸上に位置している請求項１〜１０のいずれか一項に記載のゴルフクラブヘッド。
【請求項１２】
前記ソールの少なくとも一部に位置するソールウェイトをさらに備えており、
前記ソールウェイトは、前記複数のリブのうちの１つ又は複数の覆われたリブを部分的に覆っている請求項１〜１１のいずれか一項に記載のゴルフクラブヘッド。
【請求項１３】
前記ソールウェイトの厚みは、１つ又は複数の覆われたリブの１つ又は複数の部分の厚みを完全に吸収している請求項１２に記載のゴルフクラブヘッド。
【請求項１４】
前記リブ表面と前記複数のリブは、単一の材料を含む請求項１〜１３のいずれか一項に記載のゴルフクラブヘッド。
【請求項１５】
ヒール端、トウ端、ソール、前表面、及び後表面を有するボディと、
前記ボディのリブ表面から突出する複数のリブと、を備えており、
前記複数のリブは、
第１長手軸を有する第１リブと、
第２長手軸を有する第２リブと、
第３長手軸を有する第３リブと、を含み、
前記第１長手軸、前記第２長手軸、及び第３長手軸は、前記ボディの外部にある共通点で交差し、
前記ボディの前記前表面は、ターゲット打撃範囲を有する打撃面を備えており、
前記共通点は、前記ターゲット打撃範囲からゴルフボールの略半径の長さ離れているゴルフクラブヘッド。
【請求項１６】
ヒール端、トウ端、ソール、前表面、及び後表面を有するボディと、
前記ボディのリブ表面から突出する複数のリブと、を備えており、
前記複数のリブは、
第１長手軸を有する第１リブと、
第２長手軸を有する第２リブと、
第３長手軸を有する第３リブと、を含み、
前記第１長手軸、前記第２長手軸、及び第３長手軸は、前記ボディの外部にある共通点で交差し、
前記複数のリブの重心は、前記ゴルフクラブヘッドの重心と前記ボディの前記後表面の間に位置しているゴルフクラブヘッド。
【請求項１７】
前記複数のリブは、ゴルフクラブヘッドのクラウンに対して凹状である請求項１６に記載のゴルフクラブヘッド。
【請求項１８】
ヒール端、トウ端、ソール、前表面、及び後表面を有するボディと、
前記ボディのリブ表面から突出する複数のリブと、
前記リブ表面の１つ又は複数の窪みと、を備えており、
前記複数のリブは、
第１長手軸を有する第１リブと、
第２長手軸を有する第２リブと、
第３長手軸を有する第３リブと、を含み、
前記第１長手軸、前記第２長手軸、及び第３長手軸は、前記ボディの外部にある共通点で交差し、
前記１つ又は複数の窪みは、前記複数のリブのうちの１つ又は複数の部分を部分的に覆っているゴルフクラブヘッド。
【請求項１９】
ヒール端、トウ端、ソール、前表面、及び後表面を有するボディと、
前記ボディのリブ表面から突出する複数とリブと、を備えており、
前記複数のリブは、略直線であるとともに交差しておらず、
前記複数のリブは、
前記ボディの前記ヒール端に最も近く、第１リブ長手軸を有する第１リブと、
前記ボディのトウ端に最も近く、第２リブ長手軸を有する第２リブと、
前記第１リブと前記第２リブの間に位置しており、第３リブ長手軸を有する第３リブと、
前記第１リブと前記第３リブの間に位置しており、第４リブ長手軸を有する第４リブと、
前記第２リブと前記第３リブの間に位置しており、第５リブ長手軸を有する第５リブと、を有しており、
前記複数のリブは、実質的に放射状であり、前記第１リブと前記第２リブの間で扇状を形成し、
前記第１リブ長手軸、前記第２リブ長手軸、前記第３リブ長手軸、前記第４リブ長手軸、及び前記第リブ５長手軸のうちの少なくとも３つが前記ゴルフクラブヘッドの外部の共通点で交差し、
前記複数のリブの各々は、クラウンに対して凹状であるゴルフクラブヘッド。
【請求項２０】
前記第１リブ長手軸と前記第２リブ長手軸が前記ゴルフクラブヘッドの前記ボディの外部で交差しており、
前記複数のリブが、いずれのリブとも交差しない請求項１９に記載のゴルフクラブヘッド。
【請求項２１】
前記第１リブ長手軸と前記第２リブ長手軸が、前記ボディの前記前表面の前方に位置している前記共通点で公差する請求項２０に記載のゴルフクラブヘッド。
【請求項２２】
前記共通点は、前記ボディの前記前表面の前方に位置しており、
前記リブ表面と前記複数のリブは、前記ボディの内部にあり、
前記複数のリブと前記リブ表面は、前記ボディのソールに位置しており、
前記複数のリブの各々が前記前表面と前記後表面から離れており、
前記複数のリブのうちの少なくとも３つは、いずれのリブとも交差しておらず、
前記ボディは前側部分と後側部分を有しており、
前記前側部分と前記後側部分の間の中間線は、前記前表面の最も前方となる点と前記後表面の最も後方となる点の間の距離に対して略半分において、前記ボディの前記前表面に対して略平行であり、
前記複数のリブの各リブの前端部が前記前側部分にあり、
前記複数のリブの各リブの後端部が前記後側部分にあり、
前記ボディの前記前表面は、ターゲット打撃範囲を有する打撃面を備えており、
前記第３リブ長手軸が、前記打撃面に略直交するとともに前記ターゲット打撃範囲に一致しており、
ターゲット打撃軸が、ターゲット打撃範囲の中心から伸びているとともに前記打撃面に略直交しているとともに前記第３リブ長手軸と同一線上にあり、
前記共通点が前記ターゲット打撃軸上に位置しており、
前記共通点は、前記ターゲット打撃範囲からゴルフボールの略半径の長さ離れており、
前記複数のリブの重心は、前記ゴルフクラブヘッドの重心と前記ボディの前記後表面の間に位置しており、
前記リブ表面と前記複数のリブは、単一の材料を含んでおり、
前記複数のリブは、前記リブ表面とは反対側のソールにおいて視認できない請求項１９〜２１のいずれか一項に記載のゴルフクラブヘッド。
【請求項２３】
ヒール端、トウ端、ソール、前表面、及び後表面を有するゴルフクラブのボディを準備する工程と、
前記ボディのリブ表面から突出する複数のリブを準備する工程と、を備えており、
前記複数のリブは、
共通点を通過して伸びている第１長手軸を有する第１リブと、
前記共通点を通過して伸びている第２長手軸を有する第２リブと、
前記共通点を通過して伸びている第３長手軸を有する第３リブと、を有しており、
前記共通点は、前記ボディの外部に位置しており、
前記複数のリブは、ゴルフクラブヘッドのクラウンに対して凹状である方法。
【請求項２４】
複数のリブを準備する工程は、
前記ボディの内部に前記リブ表面と前記複数のリブを準備する工程と、
前記ボディの前記ソールに前記複数のリブと前記リブ表面を準備する工程と、を有する請求項２３に記載の方法。
【請求項２５】
前記共通点は、前記前表面の前方に位置しており、
前記複数のリブを準備する工程は、
前記複数のリブを実質的に放射状に配置して、前記第１リブと前記第２リブの間で扇状を形成することと、
前記前表面と前記後表面から離れている前記複数のリブを配置することと、
いずれのリブとも交差しない前記第１リブと前記第２リブと前記第３リブを準備することと、
前記前表面に近接するリブ表面で調和する前記第１リブと前記第２リブと前記第３リブの厚みを準備することと、
前記ゴルフクラブヘッドのクラウンに対して凹状である前記複数のリブを準備することと、を有しており、
前記ゴルフクラブの前記ボディを準備する工程は、
前記ボディの前記前表面の打撃面を準備することを有しており、それは、ターゲット打撃範囲と、前記共通点を通過するとともにターゲット打撃範囲の中心から前記打撃面に対して実質的に垂直に伸びるターゲット打撃軸と、を含み、
前記リブ表面及び前記複数のリブが単一の材料を含む請求項２３に記載の方法。